(57)【特許請求の範囲】
【請求項１】
磁気回路と、
前記磁気回路の一方に配置された振動板と、
前記磁気回路の磁気ギャップに配置されるとともに、前記振動板と結合されたボイスコイルと、
音を放出する音孔を有し、前記振動板を覆うように前記振動板に対して前記磁気回路と反対側に配置されたバッフルと、
前記磁気回路、前記振動板及び前記バッフルを保持するためのフレームと、
前記振動板の外周縁部と前記バッフルの外周縁部とを接着結合するために、これら外周縁部間に配置されたシート状接着剤とを備えるスピーカにおいて、
前記振動板の外周縁部が、
前記シート状接着剤と接着可能な平坦な第１接着面を有し、
前記バッフルの外周縁部が、
前記シート状接着剤と接着可能な第２接着面と、
前記シート状接着剤が前記第１接着面に接着された後、前記シート状接着剤に前記第２接着面が接着される間、前記シート状接着剤の一部を前記第１接着面に向かって押圧した状態を保持できるように、前記第２接着面から突出するボス部とを有することを特徴とするスピーカ。
【請求項２】
前記ボス部が、前記バッフルの外周縁部の周方向に所定間隔ごとに配置されていることを特徴とする請求項１に記載のスピーカ。
【発明の詳細な説明】
【技術分野】
【０００１】
本発明は、スピーカに関する。
【背景技術】
【０００２】
従来、携帯電話機等の携帯型電子機器に適用されるスピーカが知られている（例えば、特許文献１参照）。この種のスピーカは、携帯型電子機器への適用のために防水対策を必要とするものであり、磁気回路と、振動板と、ボイスコイルと、バッフルと、フレームと、シート状接着剤とを備えている。
【０００３】
前記振動板は、前記磁気回路の一方に配置されている。前記ボイスコイルは、前記磁気回路の磁気ギャップに配置されるとともに、前記振動板に結合されている。前記バッフルは、音を放出する音孔を有し、前記振動板を覆うように前記振動板に対して前記磁気回路と反対側に配置されている。
【０００４】
前記フレームは、環状のものであり、前記磁気回路、前記振動板及び前記バッフルを保持できるように構成されている。前記シート状接着剤は、両面テープであり、前記振動板の外周縁部に前記バッフルの外周縁部を接着結合するために、これら両者の間に前記両外周縁部に沿って設けられている。
【０００５】
このようなスピーカにおいては、前記バッフルの外周縁部が、前記振動板の外周縁部に接着結合するように、前記シート状接着剤に過剰な力で押し付けられる傾向がある。また、前記スピーカが、携帯型電子機器に適用された状態で、高温雰囲気下で長時間保持されたり使用されたりすることがある。
【０００６】
このような事態が起こると、前記バッフルによる押圧荷重、又は／及び、高温による熱膨張のために、前記シート状接着剤の皺、撓み等の変形、又は／及び、位置ずれが生じ、互いに接着結合する前記バッフルの外周縁部と前記振動板の外周縁部との間に僅かな隙間が発生することがある。
【０００７】
そのため、互いの外周縁部が接着結合された前記バッフルと前記振動板との間に形成された空間に前記音孔を介して水が入り込んだ場合、前記スピーカの更なる内部への水の浸入を前記僅かな隙間を通じて許してしまう可能性がある。すなわち、前記スピーカの防水性が損なわれるおそれがある。
【０００８】
また、前記シート状接着剤の皺、撓み等の変形、又は／及び、位置ずれが生じたときには、前記シート状接着剤が前記振動板に干渉するように前記バッフルと前記振動板との間に形成された空間にはみだす可能性もある。この場合には、前記スピーカの音響性能の低下を招くおそれがある。
【先行技術文献】
【特許文献】
【０００９】
【特許文献１】特開２００８−２７８１４６号公報
【発明の概要】
【発明が解決しようとする課題】
【００１０】
本発明は、このような事情に鑑みてなされたものであり、シート状接着剤を用いて振動板の外周縁部とバッフルの外周縁部とが接着結合されるスピーカにおいて、これら外周縁部の接着結合時におけるシート状接着剤の変形に起因する音響性能及び防水性能の低下を抑制できるスピーカの提供を目的とする。
【課題を解決するための手段】
【００１１】
本発明の一態様に係るスピーカは、
磁気回路と、
前記磁気回路の一方に配置された振動板と、
前記磁気回路の磁気ギャップに配置されるとともに、前記振動板と結合されたボイスコイルと、
音を放出する音孔を有し、前記振動板を覆うように前記振動板に対して前記磁気回路と反対側に配置されたバッフルと、
前記磁気回路、前記振動板及び前記バッフルを保持するためのフレームと、
前記振動板の外周縁部と前記バッフルの外周縁部とを接着結合するために、これら外周縁部間に配置されたシート状接着剤とを備えるスピーカにおいて、
前記振動板の外周縁部が、
前記シート状接着剤と接着可能な平坦な第１接着面を有し、
前記バッフルの外周縁部が、
前記シート状接着剤と接着可能な第２接着面と、
前記シート状接着剤が前記第１接着面に接着された後、前記シート状接着剤に前記第２接着面が接着される間、前記シート状接着剤の一部を前記第１接着面に向かって押圧した状態を保持できるように、前記第２接着面から突出するボス部とを有するものである。
【００１２】
この構成によれば、前記バッフルの外周縁部を前記振動板の外周縁部に接着結合するために、まず前記ボス部により前記シート状接着剤を押圧し、次にその押圧状態を維持したまま前記第２接着面を前記シート状接着剤に押し付けて接着することが可能となる。したがって、この接着結合時に、前記シート状接着剤が前記第２接着に押されることにより前記振動板に干渉するように過度に変形（撓み等）又は／及び位置ずれすることを極力阻止できる。
【００１３】
そして、前記バッフルの外周縁部を前記振動板の外周縁部に結合したとき、前記バッフルの音孔を介して当該バッフルと前記振動板の間の空間に入り込んだ水が前記スピーカの更なる内部へ浸入するのを防ぐことができるように、この空間に面する、前記シート状接着剤と前記第１接着面及び前記第２接着面のそれぞれとの密着部分を十分に確保できる。よって、前記シート状接着剤の変形及び位置ずれに起因する、前記スピーカの音響性能及び防水性能の低下を抑制できる。
【００１４】
本発明の別の態様によれば、
前記ボス部が、前記バッフルの外周縁部の周方向に所定間隔ごとに配置される。
【発明の効果】
【００１５】
本発明によれば、シート状接着剤を用いて振動板の外周縁部とバッフルの外周縁部とが接着結合されるスピーカにおいて、これら外周縁部の接着結合時におけるシート状接着剤の変形に起因する音響性能及び防水性能の低下を抑制できるスピーカを提供できる。
【図面の簡単な説明】
【００１６】
【図１】本発明の一実施形態に係るスピーカを概略的に示す断面図である。
【図２】図１の一部拡大図である。
【図３】本発明の別実施形態に係るスピーカを概略的に示す断面図である。
【図４】図３のスピーカの平面図である。
【図５】図１のスピーカにおけるバッフルの下方斜視図である。
【図６】図１のスピーカにおけるバッフルの外周縁部を振動板の外周縁部に接着結合する様子を概略的に示す断面図である。
【図７】図１のスピーカの変形例に係る一部構成を概略的に示す断面図である。
【発明を実施するための形態】
【００１７】
まず、本発明の一実施形態の概略構成について説明する。
【００１８】
図１は、本発明の一実施形態に係るスピーカ１を概略的に示す断面図である。図２は、図１の一部拡大図である。なお、図１において、矢印Ｘの方向を前記スピーカ１の上下方向とし、矢印Ｙの方向を前記スピーカ１の左右方向とする。
【００１９】
前記スピーカ１は、携帯電話機等の携帯型電子機器に適用され得るものである。前記スピーカ１は、携帯型電子機器への適用のために防水対策を必要とするものであり、図１に示すように、磁気回路２と、振動板３と、ボイスコイル４と、バッフル５と、フレーム６と、シート状接着剤７とを備えている。
【００２０】
本実施形態において、前記磁気回路２は、磁性材料からなる有底筒状のヨーク１１と、永久磁石からなる柱状のマグネット１２と、磁性材料からなる板状のポールピース１３とを有している。前記マグネット１２は、前記ヨーク１１内でその径方向に配置され、前記ヨーク１１の底面に固定されている。
【００２１】
前記ポールピース１３は、前記ヨーク１１内に配置され、前記マグネット１２を覆うように当該マグネット１２の上面に固定されている。前記ポールピース１３と前記ヨーク１１の周側壁部１４との間には、磁気ギャップ１５が前記ヨーク１１の軸支方向と直交する方向に所定間隔を有するように形成されている。
【００２２】
前記振動板３は、前記磁気回路２の一方（上方）に配置されている。前記振動板３は、空気を通さない薄膜、例えば合成樹脂製の薄膜フィルムからなり、音を放つために当該振動板３の振動によって周囲の空気を押して振動させることができるように構成されている。
【００２３】
前記振動板３は、中央部１７と、前記中央部１７を囲むように形成された外周部１８とを有している。前記外周部１８の周縁には、平坦な外周縁部２０が備えられている。図２に示すように、前記外周縁部２０には、平坦な第１接着面（上面）２１が含まれている。
【００２４】
前記ボイスコイル４は、前記磁気回路２の磁気ギャップ１５に配置されるとともに、前記振動板３と結合されている。本実施形態において、前記ボイスコイル４は、前記ポールピース１３及び前記ヨーク１１の周側壁部１４に沿って延びる筒状に形成されている。
【００２５】
前記バッフル５は、音を放出する音孔２４を有し、前記振動板３を覆うように前記振動板３に対して前記磁気回路２と反対側に配置されている。本実施形態において、前記バッフル５は、当該バッフル５と前記振動板３との間に空間２５が形成されるように、前記振動板３の上方に配置されている。
【００２６】
前記バッフル５は、バッフル本体２７と、前記バッフル本体２７の周縁から他方（下方）へ突設された環状の突出部２８とを有している。そして、前記突出部２８の突出端側に、外周縁部３０が備えられている。図２に示すように、前記外周縁部３０には、第２接着面（下面）３１が含まれている。
【００２７】
前記フレーム６は、前記磁気回路２、前記振動板３及び前記バッフル５を保持できるように構成されている。本実施形態において、前記フレーム６は、前記磁気回路２を囲む環状のフレーム本体３３と、前記フレーム本体３３の周縁から一方（上方）へ突設された環状の周側壁部３４とを有している。
【００２８】
前記フレーム本体３３上で前記周側壁部３４の内周側に、支持部３５が設けられている。そして、前記フレーム６は、前記周側壁部３４によりその内側に配置された前記振動板３及び前記バッフル５を位置決めしつつ、前記支持部３５により前記振動板３の外周縁部２０を支えることができるようになっている。
【００２９】
本実施形態において、前記支持部３５は、前記振動板３の外周縁部２０を支持可能な金属性のリング体３６から構成されている。前記リング体３６は、前記フレーム本体３３の内周、及び、前記周側壁部３４により位置決めされた前記振動板３の外周縁部２０に沿う環状に形成されている。
【００３０】
そして、前記リング体３６は、その下面で前記フレーム本体３３に接着剤（例えば、変性シリコン系接着剤）を用いて接着結合されている。前記リング体３６は、その上面で前記振動板３の外周縁部２０に接着剤（例えば、ポリエステル系接着剤）を用いて接着結合されている。
【００３１】
なお、スピーカ外形寸法の小型化を図るべく、前記フレーム６に代えて、例えば、図３、図４に示すように、前記バッフル５の外形寸法に応じた矩形環状のフレーム本体３３Ａと、前記振動板３及び前記バッフル５を支持できるように前記フレーム本体３３Ａの４隅角部のみに突設された周側壁部（受け部）３４Ａとを備えるフレーム６Ａを採用することもできる。
【００３２】
前記シート状接着剤７は、前記振動板３の外周縁部２０と前記バッフル５の外周縁部３０とを接着結合するために、これら両者の間に設けられている。本実施形態において、前記シート状接着剤７は、両面テープからなり、前記振動板３の外周縁部２０及び前記バッフル５の外周縁部３０に沿う環状に形成されている。
【００３３】
前記シート状接着剤７は、一方の平坦な面（上面）で前記バッフル５側の前記第２接着面３１と接着し、他方の平坦な面（下面）で前記振動板３側の前記第１接着面２１と接着して、前記振動板３の外周縁部２０と前記バッフル５の外周縁部３０とを接着結合するようになっている。
【００３４】
前記シート状接着剤７としては、具体的には例えば、両方の面にアクリル系粘着材を備える従来一般的な両面テープを採用することができる。
【００３５】
そして、前記スピーカ１が、前述の各部を備えることにより、携帯型電子機器に適用された場合、外部から与えられる音声信号により前記ボイスコイル４を前記振動板３が振動するように動作させて、前記振動板３から音を放つことができるようになっている。
【００３６】
次に、前記振動板３の外周縁部２０と前記バッフル５の外周縁部３０との接着結合についてより詳細に説明する。
【００３７】
図５は、前記バッフル５の下方斜視図である。図６は、前記バッフル５の外周縁部３０を前記振動板３の外周縁部２０に接着結合する様子を概略的に示す断面図である。
【００３８】
図２、図５、図６に示すように、前記スピーカ１においては、前記振動板３の外周縁部２０が、前記シート状接着剤７と接着可能な平坦な第１接着面２１を有している。本実施形態において、前記第１接着面２１は、前記シート状接着剤７を載置しつつ、前記シート状接着剤７の他方の平坦な面と接着されている。
【００３９】
前記バッフル５の外周縁部３０は、前記シート状接着剤７と接着可能な第２接着面３１を有している。前記バッフル５の外周縁部３０は、さらに、ボス部（突起）４１を有している。本実施形態において、前記第２接着面３１は、前記振動板３側の前記第１接着面２１と対向し得るように形成されている。
【００４０】
前記第２接着面３１は、前記第１接着面２１と略平行に並べられ得る平坦な面とされている。前記第２接着面３１は、前記第１接着面２１との間に前記シート状接着剤７を挟んだ状態で、前記シート状接着剤７に載置されつつ、前記シート状接着剤７の一方の平坦な面と接着されている。
【００４１】
また、前記ボス部４１は、前記シート状接着剤７が前記第１接着面２１に接着された後、前記シート状接着剤７に前記第２接着面３１が接着される間、前記シート状接着剤７の一部を前記第１接着面２１に向かって押圧した状態を保持できるように、前記第２接着面３１から突設されている。
【００４２】
本実施形態において、前記ボス部４１は、複数（具体的には、１４個）設けられており、前記バッフル５の外周縁部３０（前記第２接着面３１）の周方向に所定間隔ごとに（間欠的に）配置されている。詳しくは、前記ボス部４１は、前記第２接着面３１の周方向に略均等な間隔で隣り合うように並べられている。
【００４３】
前記ボス部４１は、前記振動板３の外周縁部２０の径方向（前記スピーカ１の左右方向を含む方向を含む前記スピーカ１の上下方向と直交する方向）に関して、ここでは更に前記外周縁部２０の周方向に関して、前記振動板３側の前記第１接着面２１の中途部に接し得るように配置されている。
【００４４】
すなわち、前記ボス部４１は、前記振動板３の外周縁部２０と前記バッフル５の外周縁部３０との接着結合時に、前記第１接着面２１を押圧する当該ボス部４１の周囲に、前記第２接着面３１と前記シート状接着剤７の密着部分が形成されるように、前記第２接着面３１の中途部に配置されている。
【００４５】
前記ボス部４１は、本実施形態においては、前記第２接着面３１から前記振動板３の外周縁部２０に向かって下方に突出し得る円柱状に形成されている。なお、前記ボス部４１の形状は、前述の円柱状に限定されず、例えば、前記外周縁部２０側と凸とし得る円錐状又は半球状であってもよい。
【００４６】
前記ボス部４１の突出幅は、前記ボス部４１と共に前記第２接着面３１が前記シート状接着剤７に接着可能なように適宜設定される。前記第２接着面３１上で隣り合う前記ボス部４１の間隔は、それらの間で前記第２接着面３１と前記シート状接着剤７との密着部分を十分に確保可能なように適宜設定される。
【００４７】
また、本実施形態において、前記振動板３の外周縁部２０と前記バッフル５の外周縁部３０との接着結合時に、前記シート状接着剤７の外周面の位置が規定されるようになっている。詳しくは、前記バッフル５の周側壁部４３が、前記シート状接着剤７に外周面に接するように設けられている。
【００４８】
このような構成において、前記バッフル５の外周縁部３０を前記振動板３の外周縁部２０に接着結合する場合には、まず前記外周縁部２０の第１接着面２１に接着された状態の前記シート状接着剤７に向かって（図６の矢印Ａの方向に）前記バッフル５の外周縁部３０を移動させる。
【００４９】
つづいて、前記外周縁部３０のうち前記ボス部４１を前記第２接着面３１よりも先に前記シート状接着剤７に接触させ、前記ボス部４１により当該シート状接着剤７の一部を前記第１接着面２１に向かって押圧する。この押圧を続けながら、前記第２接着面３１を前記シート状接着剤７に押し付ける。
【００５０】
これにより、前記第２接着面３１を、前記他方の接着面で前記第１接着面２１に接着された状態の前記シート状接着剤７における前記一方の面に圧接して接着することが可能となる。つまり、前記バッフル５の外周縁部３０を前記振動板３の外周縁部２０に接着結合させることが可能となる。
【００５１】
したがって、前記バッフル５の外周縁部３０を前記振動板３の外周縁部２０に接着結合するために、前記外周縁部３０を前記シート状接着剤７に押し付けたとき、その影響を受けて前記シート状接着剤７が前記振動板３に干渉するように過度に変形（撓み等）又は／及び位置ずれすることを極力阻止できる。
【００５２】
なお、前記ボス部４１が前記シート状接着剤７の一部を押圧する際には、比較的小さな前記ボス部４１が前記第２接着面３１（前記外周縁部３０）に点在するように設けられているにすぎないので、前記ボス部４１の押圧により前記シート状接着剤７を過度に変形（撓み等）又は／及び位置ずれさせることはない。
【００５３】
そして、前記音孔２４から前記空間２５を経た水の浸入を防ぐことができるように、前記シート状接着剤７と前記第１接着面２１及び前記第２接着面３１との密着部分を十分に確保できる。よって、前記シート状接着剤７の変形及び位置ずれに起因する、前記スピーカ１の音響性能及び防水性能の低下を抑制できる。
【００５４】
また、前記スピーカ１においては、当該スピーカ１が携帯電話機等の携帯型電子機器に適用される際に別のシート状接着剤５１を用いて前記携帯型電子機器のケース５２に接着結合される前記バッフル５の平坦な表面（上面）５４に、別のボス部を設けてもよい。
【００５５】
例えば、図７に示すように、別のボス部５５は、前記バッフル５に前記ケース５２が接着結合されるとき、前記バッフル５の平坦な表面５４に接着された状態の前記別のシート状接着剤５１の一部を押圧した状態を保持できるように、前記表面５４から突設される。
【００５６】
この場合、前記ケース５２は、前記別のシート状接着剤５１と接着可能な平坦な裏面（下面）５７と、別の音孔５８とを有し、前記シート状接着剤５１を前記バッフル５の表面５４と前記ケース５２の裏面５７との間に挟むように前記スピーカ１を当該ケース５２の内部に設置可能なものとなる。
【００５７】
したがって、前記ケース５２の裏面５７を前記バッフル５の表面５４に接着結合するために前記ケース５２を前記別のシート状接着剤５１に押し付けたとき、前記別のシート状接着剤５１が前記別の音孔５８を塞ぐように過度に変形（撓み）又は／及び位置ずれすることを極力阻止できる。よって、前記スピーカ１の音響性能の低下を抑制できる。
【符号の説明】
【００５８】
１    スピーカ
２    磁気回路
３    振動板
４    ボイスコイル
５    バッフル
６    フレーム
７    シート状接着剤
１５  磁気ギャップ
２０  振動板の外周縁部
２１  第１接着面
２４  音孔
３０  バッフルの外周縁部
３１  第２接着面
【図１】
0006375233.tif 000002
【図２】
0006375233.tif 000003
【図３】
0006375233.tif 000004
【図４】
0006375233.tif 000005
【図５】
0006375233.tif 000006
【図６】
0006375233.tif 000007
【図７】
0006375233.tif 000008